Podtech/llm-jp-corpus-v4-ja_patent huggingface dataset:
【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】
【請求項１】  貯留部に貯留された遊技球を順次取り込むと共に遊技球の取込をその都度検知する取込装置を備え、該取込装置により遊技球の取込が検知されたことを条件に遊技を開始する遊技機において、
前記取込装置には、遊技球を一列で通過させるための遊技球通路と、該遊技球通路を通過する遊技球を検知する球検知手段を設け、該球検知手段は前記球通路の延びる方向に交差する方向へ発光する発光素子とその発光素子からの光を受光する受光素子とを備え、
前記遊技球通路を形成する通路壁には発光素子からの光を通す光透過孔を形成し、前記遊技球通路のうち少なくとも光透過孔の孔壁を、当該光透過孔を通過する光の拡散を防止するために光透過不能又は困難なものによって構成したことを特徴とする遊技機。
【請求項２】  前記光透過孔に発光素子の少なくとも頭部を挿入した状態で配置され、その頭部が前記遊技球通路へ突出しない位置に保持されていることを特徴とする請求項１記載の遊技機。
【請求項３】  前記光透過孔と遊技球通路を挟んで相対向する位置に別の光透過孔が設けられ、その別の光透過孔に受光素子の少なくとも頭部が配置され、その頭部が前記遊技球通路へ突出しない位置に保持されていることを特徴とする請求項１又は２記載の遊技機。
【請求項４】  貯留部に貯留された遊技球を順次取り込むと共に遊技球の取込をその都度検知する取込装置を備え、該取込装置により遊技球の取込が検知されたことを条件に遊技を開始する遊技機において、
前記取込装置は一対のハウジング部材を備え、両ハウジング部材を連結することにより遊技球を一列で通過させるための遊技球通路が形成され、該遊技球通路を通過する遊技球を検知する球検知手段を設け、該球検知手段は前記球通路の延びる方向に交差する方向へ発光する発光素子とその発光素子からの光を受光する受光素子とを備え、
前記両ハウジング部材のうち一方に遊技球通路内外を連通する光透過孔を形成し、他方にも遊技球通路を挟んでその光透過孔と相対向するように配置される光透過孔を設け、前記一方のハウジング部材の光透過孔に発光素子を遊技球通路へ突出しないように配置し、前記他方のハウジング部材の光透過孔に受光素子を配置し、前記一方のハウジング部材を光透過不能又は困難な部材によって構成したことを特徴とする遊技機。
【請求項５】  前記他方のハウジング部材を透明又は半透明の部材によって構成したことを特徴とする請求項４記載の遊技機。
【請求項６】  前記球検知手段を接近した位置に複数設けたことを特徴とする請求項１乃至５のいずれかに記載の遊技機。
【請求項７】  遊技者により投入される遊技メダルを順次取り込むと共に遊技メダルの取込をその都度検知する取込装置を備え、該取込装置により遊技メダルの取込が検知されたことを条件に遊技を開始する遊技機において、
前記取込装置には、遊技メダルを一列で通過させるための遊技メダル通路と、該遊技メダル通路を通過する遊技メダルを検知するメダル検知手段を設け、該メダル検知手段は前記遊技メダル通路の延びる方向に交差する方向へ発光する発光素子とその発光素子からの光を受光する受光素子とを備え、
前記遊技メダル通路を形成する通路壁には発光素子からの光を通す光透過孔を形成し、前記遊技メダル通路のうち少なくとも光透過孔の孔壁を、当該光透過孔を通過する光の拡散を防止するために光透過不能又は困難なものによって構成したことを特徴とする遊技機。
【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】    【請求項１】  貯留部に貯留された遊技球を順次取り込むと共に遊技球の取込をその都度検知する取込装置を備え、該取込装置により遊技球の取込が検知されたことを条件に遊技を開始する遊技機において、  前記取込装置には遊技球を一列で通過させるための遊技球通路を設け、該遊技球通路を囲む通路壁に、遊技球の通過方向に延びる突条を一体に設けたことを特徴とする遊技機。    【請求項２】  前記突条は、前記遊技球通路を四方より囲む通路壁のうち少なくとも１つの通路壁に設けられていることを特徴とする請求項１記載の遊技機。    【請求項３】  前記遊技球通路を形成する取込装置は合成樹脂により形成され、前記突条はこれに一体形成されていることを特徴とする請求項１又は２記載の遊技機。    【請求項４】  前記突条は遊技球通路を通過する遊技球が当接されるように構成されていることを特徴とする請求項１乃至３のいずれかに記載の遊技機。    【請求項５】  前記遊技球通路の途中に遊技球の通過を検知する検知部を設け、少なくとも検知部付近には前記突条が設けられていることを特徴とする請求項１乃至４のいずれかに記載の遊技機。    【請求項６】  遊技球通路を介しての遊技球の取込を許容又は阻止するために所定の軸を中心に回動するように構成されたゲート部材を備え、その軸を前記遊技球通路に近づけて配置したことを特徴とする請求項１乃至５のいずれかに記載の遊技機。    【請求項７】  前記取込装置は分割可能な一対のハウジング部材を有し、これら一対のハウジング部材の接合により前記遊技球通路が形成されることを特徴とする請求項１乃至６のいずれかに記載の遊技機。
【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】
【請求項１】  貯留部に貯留された遊技球を順次取り込むと共に遊技球の取込をその都度検知する取込装置を備え、該取込装置により遊技球の取込が検知されたことを条件に遊技を開始する遊技機において、
前記取込装置には、遊技球を一列で通過させるための遊技球通路と、該遊技球通路を通過する遊技球を検知する球検知手段を設け、該球検知手段は前記球通路の延びる方向に交差する方向へ発光する発光素子とその発光素子からの光を受光する受光素子とを備え、
前記遊技球通路を形成する通路壁には発光素子からの光を通す光透過孔を、発光素子及び受光素子に対応してそれぞれ形成し、光透過孔に発光素子及び受光素子をそれぞれ挿入することによって当該各素子を位置決めするように構成したことを特徴とする遊技機。
【請求項２】  取込装置は、発光素子の端子が取り付けられた基板と、受光素子の端子が取り付けられた基板とを備え、これら端子は若干の撓みが許容された構成であり、取付装置への各基板の取付の際に端子の撓み許容限度内において光透過孔と各素子との位置ずれを矯正しながら各素子の頭部が光透過孔に挿入され位置決めされることを特徴とする請求項１記載の遊技機。
【請求項３】  前記発光素子及び受光素子の頭部は先細り形状をなしていることを特徴とする請求項２記載の遊技機。
【請求項４】  光透過孔は、前記遊技球通路側において光通過断面積が小さくなるように形成されているとともに、反遊技球通路側において前記発光素子及び受光素子の外径以上の大きさとなる位置決め凹部が形成されたものであることを特徴とする請求項１乃至３のいずれかに記載の遊技機。
【請求項５】  前記取込装置は表裏一対のハウジング部材同士を連結して概略構成され、その連結によって両ハウジング部材間に前記遊技球通路が形成されるように構成し、一方のハウジング部材に発光素子が位置決めされるとともに他方のハウジング部材に受光素子が位置決めされることを特徴とする請求項１乃至４のいずれかに記載の遊技機。
【請求項６】  発光素子が位置決めされるハウジング部材は光透過不能又は困難な部材によって構成されたものであることを特徴とする請求項５記載の遊技機。
【請求項７】  遊技者により投入される遊技メダルを順次取り込むと共に遊技メダルの取込をその都度検知する取込装置を備え、該取込装置により遊技メダルの取込が検知されたことを条件に遊技を開始する遊技機において、
前記取込装置には、遊技メダルを一列で通過させるための遊技メダル通路と、該遊技メダル通路を通過する遊技メダルを検知するメダル検知手段を設け、該メダル検知手段は前記遊技メダル通路の延びる方向に交差する方向へ発光する発光素子とその発光素子からの光を受光する受光素子とを備え、
前記遊技メダル通路を形成する通路壁には発光素子からの光を通す光透過孔を、発光素子及び受光素子に対応してそれぞれ形成し、光透過孔に発光素子及び受光素子をそれぞれ挿入することによって当該各素子を位置決めするように構成したことを特徴とする遊技機。
【手続補正書】
【提出日】平成18年7月12日(2006.7.12)
【手続補正１】
【補正対象書類名】特許請求の範囲
【補正対象項目名】請求項１０
【補正方法】変更
【補正の内容】
【請求項１０】
少なくとも１つの印刷ユニット（３２）を有する印刷機において、
請求項１から８のいずれか１項に記載の、被印刷体（２２）を処理する装置が、前記印刷機（３０）内で前記印刷ユニット（３２）の後に配置されていることを特徴とする印刷機。
【手続補正２】
【補正対象書類名】特許請求の範囲
【補正対象項目名】請求項１１
【補正方法】変更
【補正の内容】
【請求項１１】
ウエブ処理印刷機（３０）の折り装置において、
請求項１から８のいずれか１項に記載の、被印刷体（２２）を処理する装置を少なくとも１つ有することを特徴とする折り装置。
【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】
吐水形態を切り替えて吐水形態の異なる吐水を行うシャワーヘッドであって、このシャワーヘッド本体の通水路中に弁座を位置決めして配置し、さらに略円筒形の流路切替筒の上面を前記弁座の下面に当接して、かつ、前記流路切替筒を回転自在に配置し、通水孔を有する散水ノズルと散水孔を有する散水板とを前記流路切替筒の外側に配置し、吐水口部は前記流路切替筒に取り付けられ、前記吐水口部に形成したツバにて前記散水板を保持し、さらに、この散水板の上流内側には網を配置しており、前記吐水口部のツバには空気吸込口が形成されており、この空気吸込口から空気を吸込んで前記散水板と前記流路切替筒との間を経由して前記散水板上流内側に配置された網に空気を供給して、泡沫状のシャワー吐水を形成することができ、前記流路切替筒を回転させることで前記弁座に形成した通水穴からの通水を前記流路切替筒の外側と内側とに切替えて、前記流路切替筒の外側に通水したときに、前記散水ノズルに形成した通水孔を経由して前記散水孔から泡沫状のシャワー吐水を行い、前記流路切替筒の内側に通水したときに、前記吐水口部に形成した吐水口から吐水されることを特徴とするシャワーヘッド。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
【課題を解決するための手段】
本発明の請求項１では、吐水形態を切り替えて吐水形態の異なる吐水を行うシャワーヘッドであって、このシャワーヘッド本体の通水路中に弁座を位置決めして配置し、さらに略円筒形の流路切替筒の上面を前記弁座の下面に当接して、かつ、前記流路切替筒を回転自在に配置し、通水孔を有する散水ノズルと散水孔を有する散水板とを前記流路切替筒の外側に配置し、吐水口部は前記流路切替筒に取り付けられ、前記吐水口部に形成したツバにて前記散水板を保持し、さらに、この散水板の上流内側には網を配置しており、前記吐水口部のツバには空気吸込口が形成されており、この空気吸込口から空気を吸込んで前記散水板と前記流路切替筒との間を経由して前記散水板上流内側に配置された網に空気を供給して、泡沫状のシャワー吐水を形成することができ、前記流路切替筒を回転させることで前記弁座に形成した通水穴からの通水を前記流路切替筒の外側と内側とに切替えて、前記流路切替筒の外側に通水したときに、前記散水ノズルに形成した通水孔を経由して前記散水孔から泡沫状のシャワー吐水を行い、前記流路切替筒の内側に通水したときに、前記吐水口部に形成した吐水口から吐水されることを特徴とするシャワーヘッドとした。
【手続補正５】
【補正対象書類名】明細書
【補正対象項目名】００３１
【補正方法】変更
【補正の内容】
【００３１】
散水板１０の散水孔１０１は、散水ノズル８からの吐水が網１ １ で撹乱され、その過程で空気を混入しながら泡沫状吐水となったものを通す必要があるため、通水孔８１よりも大きくすることが好ましい。
ただし、大きくしすぎると散水孔１０１からの吐水が太くなり流速も下がるため、シャワー感や洗浄力が低下してしまう。
つまり、図５に示すように散水孔１０１の内部側の径を大きくすることで、通水孔８１からの通水を十分に散水孔１０１に受けてその孔内に通すことができ、外部側の径を小さくすることでシャワー感のある吐水径で十分な流速の吐水を得ることができる。そのため、たとえば、具体的な形状としては、円錐形状の散水孔１０１とするとよい。なお、このように散水孔１０１の内部側の径と外部側の径を変えた場合には、散水孔１０１の孔径とは、外部側の径を示す。そして、外部側の径を直径１．５ｍｍと直径２．１ｍｍの場合には、内部側の径を直径２．６ｍｍ とした。
【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】
吐出口から記録媒体に光硬化型のインクを吐出する記録ヘッドと、
前記記録媒体を前記記録ヘッドの吐出面に対向するように支持するプラテンと、
前記記録ヘッドから吐出された前記インクに対して光を照射し、前記インクを硬化させる光源と、
前記光源からの光を透過する光透過部材とを備え、
前記光透過部材は、前記プラテン及び前記光源の間で着脱自在に配置されていることを特徴とするインクジェット記録装置。
【請求項２】
請求項１記載のインクジェット記録装置において、
前記光透過部材は、４００ｎｍ以下の波長域の光を透過することを特徴とするインクジェット記録装置。
【請求項３】
請求項１又は２記載のインクジェット記録装置において、
前記光透過部材と前記プラテンとの間隔は、前記吐出面と前記プラテンとの間隔よりも広くなるように設定されていることを特徴とするインクジェット記録装置。
【請求項４】
請求項１〜３のいずれか一項に記載のインクジェット記録装置において、
前記光透過部材により覆われた部分以外の部分を覆って前記光源を保護するカバー部材を備えることを特徴とするインクジェット記録装置。
【請求項５】
請求項１〜４のいずれか一項に記載のインクジェット記録媒体において、
前記光源は、紫外線を照射して前記インクを硬化させることを特徴とするインクジェット記録装置。
【請求項６】
請求項１〜５のいずれか一項に記載のインクジェット記録装置において、
前記インクとしてカチオン重合系のインクが用いられることを特徴とするインクジェット記録装置。
【手続補正書】
【提出日】平成17年12月14日(2005.12.14)
【手続補正１】
【補正対象書類名】特許請求の範囲
【補正対象項目名】全文
【補正方法】変更
【補正の内容】
【特許請求の範囲】
【請求項１】
第１の記録剤と、該第１の記録剤と同系色であって且つ前記第１の記録剤よりも高い発色濃度を有する第２の記録剤とを用いて記録媒体に画像を記録する記録方法であって、
前記記録媒体の一方の面にのみ記録を行なう片面記録モードと、前記記録媒体の両方の面に記録を行う両面記録モードのうち、記録に使用すべき記録モードを選択するステップと、
前記選択された記録モードに応じて記録条件を決定するステップと、を有し、
前記決定ステップでは、（Ａ）前記片面記録モードが選択された場合、前記第１の記録剤と前記第２の記録剤を用いて記録が行われるよう前記記録条件を決定し、（Ｂ）前記両面記録モードが選択された場合、前記第１の記録剤は用いず前記第２の記録剤を用いて記録が行われるよう前記記録条件を決定することを特徴とする記録方法。
【請求項２】
同系色について発色濃度の相対的に低い第１の記録剤と発色濃度の相対的に高い第２の記録剤とを用いて記録媒体に画像を記録する記録方法であって、
前記記録媒体の一方の面にのみ記録を行なう片面記録モードと、前記記録媒体の両方の面に記録を行う両面記録モードのうち、記録に使用すべき記録モードを設定するステップと、
前記設定された記録モードに応じて記録データを生成するステップと、を有し、
前記生成ステップでは、前記両面記録モードが設定された場合、前記片面記録モードが設定された場合に比べ、前記第１の記録剤量が少なく、かつ第２の記録剤量が多くなるように記録データの生成を行うことを特徴とする記録方法。
【請求項３】
前記記録データの生成ステップは、前記第１の記録剤量が、予め定められた色相における明度変化で一定の明度からそれより暗い所定の明度までは増加し、前記所定の明度を過ぎると減少するという最大値量を持ち、かつ、両面記録モードにおける前記最大値量は、片面記録モードにおけるそれより低い値でかつ上記明度変化でより明るい明度となるように記録データを生成し、また、前記第１の記録剤量が前記所定の明度を過ぎて減少していくのに従い、前記第２の記録剤量が増えていくように記録データを生成することを特徴とする請求項２に記載の記録方法。
【請求項４】
前記記録データの生成ステップは、前記第１の記録剤量が最大値を持つ明度において、前記第２の記録剤量がゼロより大きくなるように記録データを生成することを特徴とする請求項３に記載の記録方法。
【請求項５】
第１の記録剤と、該第１の記録剤と同系色であって且つ前記第１の記録剤よりも高い発色濃度を有する第２の記録剤とを用いて記録媒体に画像を記録する記録装置であって、
前記記録媒体の一方の面にのみ記録を行なう片面記録モードと、前記記録媒体の両方の面に記録を行う両面記録モードのうち、記録に使用すべき記録モードを選択するモード選択手段と、
前記選択された記録モードに応じて記録条件を決定する記録条件決定手段と、を具え、
前記記録条件決定手段は、（Ａ）前記片面記録モードが選択された場合、前記第１の記録剤と前記第２の記録剤を用いて記録が行われるよう前記記録条件を決定し、（Ｂ）前記両面記録モードが選択された場合、前記第１の記録剤は用いず前記第２の記録剤を用いて記録が行われるよう前記記録条件を決定することを特徴とする記録装置。
【請求項６】
同系色について発色濃度の相対的に低い第１の記録剤と発色濃度の相対的に高い第２の記録剤とを用いて記録媒体に画像を記録する記録装置であって、
前記記録媒体の一方の面にのみ記録を行なう片面記録モードと、前記記録媒体の両方の面に記録を行う両面記録モードのうち、記録に使用すべき記録モードを設定する設定手段と、
前記設定された記録モードに応じて記録データを生成する生成手段と、を具え、
前記生成手段は、前記両面記録モードが設定された場合、前記片面記録モードが設定された場合に比べ、前記第１の記録剤量が少なく、かつ第２の記録剤量が多くなるように記録データの生成を行うことを特徴とする記録装置。
【請求項７】
前記生成手段は、前記第１の記録剤量が、予め定められた色相における明度変化で一定の明度からそれより暗い所定の明度までは増加し、前記所定の明度を過ぎると減少するという最大値量を持ち、かつ、前記両面記録モードにおける前記最大値量は、前記片面記録モードにおけるそれより低い値でかつ上記明度変化でより明るい明度となるように記録データを生成し、また、前記第１の記録剤量が前記所定の明度を過ぎて減少していくのに従い、前記第２の記録剤量が増えていくように記録データを生成することを特徴とする請求項６に記載の記録装置。
【請求項８】
前記生成手段は、前記第１の記録剤量が最大値を持つ明度において、前記第２の記録剤量がゼロより大きくなるように記録データを生成することを特徴とする請求項７に記載の記録装置。
【請求項９】
コンピュータに、第１の記録剤と、該第１の記録剤と同系色であって且つ前記第１の記録剤よりも高い発色濃度を有する第２の記録剤とを用いて記録媒体に画像を記録する記録処理を実行するためのプログラムであって、前記記録処理は、
前記記録媒体の一方の面にのみ記録を行なう片面記録モードと、前記記録媒体の両方の面に記録を行う両面記録モードのうち、記録に使用すべき記録モードを選択するステップと、
前記選択された記録モードに応じて記録条件を決定するステップと、を有し、
前記決定ステップでは、（Ａ）前記片面記録モードが選択された場合、前記第１の記録剤と前記第２の記録剤を用いて記録が行われるよう前記記録条件を決定し、（Ｂ）前記両面記録モードが選択された場合、前記第１の記録剤は用いず前記第２の記録剤を用いて記録が行われるよう前記記録条件を決定することを特徴とするプログラム。
【請求項１０】
コンピュータに、同系色について発色濃度の相対的に低い第１の記録剤と発色濃度の相対的に高い第２の記録剤とを用いて記録媒体に画像を記録する記録処理を実行するためのプログラムであって、前記記録処理は、
前記記録媒体の一方の面にのみ記録を行なう片面記録モードと、前記記録媒体の両方の面に記録を行う両面記録モードのうち、記録に使用すべき記録モードを設定するステップと、
前記設定された記録モードに応じて記録データを生成するステップと、を有し、
前記生成ステップでは、前記両面記録モードが設定された場合、前記片面記録モードが設定された場合に比べ、前記第１の記録剤量が少なく、かつ第２の記録剤量が多くなるように記録データの生成を行うことを特徴とするプログラム。
【手続補正書】
【提出日】平成18年8月7日(2006.8.7)
【手続補正１】
【補正対象書類名】特許請求の範囲
【補正対象項目名】請求項７
【補正方法】変更
【補正の内容】
【請求項７】
前記駆動接続部が切離し可能である、請求項１に記載の機械。
【手続補正書】
【提出日】平成17年12月7日(2005.12.7)
【手続補正１】
【補正対象書類名】明細書
【補正対象項目名】発明の名称
【補正方法】変更
【補正の内容】
【発明の名称】環状成形品の射出圧縮成形装置及び射出圧縮成形方法
【手続補正２】
【補正対象書類名】明細書
【補正対象項目名】特許請求の範囲
【補正方法】変更
【補正の内容】
【特許請求の範囲】
【請求項１】  環状成形品を成形するためのキャビティを構成する固定側の金型及び可動側の金型と、
前記キャビティ内に前記環状成形品の中心軸線に沿う方向に樹脂材料を射出するためのバルブゲートと、
該バルブゲートを開閉するとともに、該バルブゲートを閉じる動作に伴って、前記キャビティ内の樹脂材料に前記環状成形品の中心軸線に沿う方向に圧力を加えるためのバルブゲートピンとを具備することを特徴とする環状成形品の射出圧縮成形装置。
【請求項２】  前記バルブゲートピンは円筒形状に形成されており、該円筒形状の内側には、前記環状成形品の内周面を成形するための円柱状部材が前記バルブゲートピンに対して摺動自在に配置されていることを特徴とする請求項１に記載の環状成形品の射出圧縮成形装置。
【請求項３】  固定側金型と可動側金型との間に形成されたキャビティ内にバルブゲートを介して樹脂材料を射出することにより、環状成形品を成形するための環状成形品の射出圧縮成形方法であって、
前記キャビティ内に前記バルブゲートを介して前記樹脂材料を射出する射出工程と、
前記バルブゲートを開閉するバルブゲートピンにより前記バルブゲートを閉じる動作に伴って、前記バルブゲートピンにより前記キャビティ内の樹脂材料に前記環状成形品の中心軸線に沿う方向に圧力を加える圧縮工程と、
を具備することを特徴とする環状成形品の射出圧縮成形方法。
【手続補正書】
【提出日】平成17年11月17日(2005.11.17)
【手続補正１】
【補正対象書類名】明細書
【補正対象項目名】発明の名称
【補正方法】変更
【補正の内容】
【発明の名称】２次元コード印刷装置および２次元コード印刷方法
【手続補正２】
【補正対象書類名】明細書
【補正対象項目名】特許請求の範囲
【補正方法】変更
【補正の内容】
【特許請求の範囲】
【請求項１】  ２次元に配置されたセルの分布パターンにより情報を表現する２次元コードを印刷する２次元コード印刷装置において、
２次元コードが読み取られる読み取り面の形状を入力する読取面形状入力手段と、
前記読取面形状入力手段により入力された読み取り面の形状を解析する面形状解析手段と、
前記面形状解析手段による形状解析結果に応じて印刷すべき２次元コードの大きさまたは形状を変化させる２次元コード変形手段と、
前記２次元コード変形手段により生成された変形２次元コードを印刷出力する印刷手段を有することを特徴とする２次元コード印刷装置。
【請求項２】  前記読取面形状入力手段が、読み取り面の画像データをその形状情報として入力することを特徴とする請求項１に記載の２次元コード印刷装置。
【請求項３】  読み取り面上において２次元コードが読み取られる際の読み取り角度に関する情報を用いて前記２次元コード変形手段が印刷すべき２次元コードの大きさまたは形状を変化させることを特徴とする請求項１に記載の２次元コード印刷装置。
【請求項４】  ２次元に配置されたセルの分布パターンにより情報を表現する２次元コードを印刷する２次元コード印刷方法において、
２次元コードが読み取られる読み取り面の形状を入力し、
入力された読み取り面の形状を解析し、
該形状解析結果に応じて２次元コードの大きさまたは形状を変化させて変形２次元コードを得、印刷出力することを特徴とする２次元コード印刷方法。
【請求項５】  読み取り面の画像データをその形状情報として入力することを特徴とする請求項４に記載の２次元コード印刷方法。
【請求項６】  読み取り面上において２次元コードが読み取られる際の読み取り角度に関する情報を用いて印刷すべき２次元コードの大きさまたは形状を変化させることを特徴とする請求項４に記載の２次元コード印刷方法。
【手続補正３】
【補正対象書類名】明細書
【補正対象項目名】０００１
【補正方法】変更
【補正の内容】
【０００１】
【発明の属する技術分野】
本発明は２次元に配置されたセルの分布パターンにより情報を表現する２次元コードを印刷する２次元コード印刷装置および２次元コード印刷方法に関するものである。
【手続補正４】
【補正対象書類名】明細書
【補正対象項目名】０００８
【補正方法】変更
【補正の内容】
【０００８】
【課題を解決するための手段】
上記の課題を解決するため、本発明によれば、２次元に配置されたセルの分布パターンにより情報を表現する２次元コードを印刷する２次元コード印刷装置および２次元コード印刷方法において、２次元コードが読み取られる読み取り面の形状を入力する読取面形状入力手段と、前記読取面形状入力手段により入力された読み取り面の形状を解析する面形状解析手段と、前記面形状解析手段による形状解析結果に応じて印刷すべき２次元コードの大きさまたは形状を変化させる２次元コード変形手段と、前記２次元コード変形手段により生成された変形２次元コードを印刷出力する印刷手段を有する構成を採用した。
【手続補正書】
【提出日】平成17年11月9日(2005.11.9)
【手続補正１】
【補正対象書類名】明細書
【補正対象項目名】００２５
【補正方法】変更
【補正の内容】
【００２５】
チャンバ３７に内設される吸収部材３９は、円環状に形成してあり、内穴４７から塗布材料１１をチャンバ３７の外部へと噴霧する。即ち、吸収部材３９は、マスク手段を兼ねている。この吸収部材３９としては、例えばポリウレタン（密度４０〜６０ｋｇ／ｍ３）を好適に用いることができる。
【手続補正２】
【補正対象書類名】明細書
【補正対象項目名】００４１
【補正方法】変更
【補正の内容】
【００４１】
次に、本発明に係る塗布装置の他の実施の形態を説明する。
図２は本発明に係る塗布装置の他の実施の形態を表す要部断面図である。なお、図１に示した部材と同一の部材には同一の符号を付し、重複する説明は省略するものとする。
この実施の形態による塗布装置６１は、吸収部材６３がポリウレタン（密度２０〜４０ｋｇ／ｍ３）６５と、シリンダボディ１３に接触する金属製（ＳＵＳ３０４等）の摺動板６７とを一体化して形成される。そして、摺動板６７のシリンダボディ１３との接触部位には、円周方向に等配された貫通孔６９が穿設されている。
【手続補正書】
【提出日】平成17年12月5日(2005.12.5)
【手続補正１】
【補正対象書類名】明細書
【補正対象項目名】発明の名称
【補正方法】変更
【補正の内容】
【発明の名称】樹脂ペレットの製造方法
【手続補正２】
【補正対象書類名】明細書
【補正対象項目名】特許請求の範囲
【補正方法】変更
【補正の内容】
【特許請求の範囲】
【請求項１】  溶融樹脂の複数のストランド状物を、ストランド状物が流下可能な複数の案内溝を有するガイドプレート上に落下させた後、ペレット状に切断する樹脂ペレットの製造方法において、
前記ガイドプレートが、ストランド状物が落下する第１のガイドプレートと、ストランド状物を冷却固化する第２のガイドプレートとを有し、前記第１のガイドプレートの案内溝の最大深さおよび幅が下記式（１）および（２）を充足することを特徴とする樹脂ペレットの製造方法。
０．４≦ａ／ｘ≦０．８・・・（１）
０．６≦ｂ／ｘ≦１．２・・・（２）
（但し、式中、ａは案内溝の最大深さ（ｍｍ）、ｂは案内溝の幅（ｍｍ）、ｘはストランド状物のガイドプレート落下時の直径（ｍｍ）を示す。）
【手続補正３】
【補正対象書類名】明細書
【補正対象項目名】０００７
【補正方法】変更
【補正の内容】
【０００７】
【発明が解決しようとする課題】
本発明は上記事情に鑑みてなされたものであり、複雑な機構を要することなく、ストランド状物同士の融着を防ぎ、所望の形状のペレットを安定して製造することが可能な樹脂ペレットの製造方法を提供することを目的とする。
【手続補正４】
【補正対象書類名】明細書
【補正対象項目名】０００８
【補正方法】変更
【補正の内容】
【０００８】
【課題を解決するための手段】
本発明者は上記課題を解決するべく検討を行った結果、以下の樹脂ペレットの製造方法を発明するに到った。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
本発明の樹脂ペレットの製造方法は、溶融樹脂の複数のストランド状物を、ストランド状物が流下可能な複数の案内溝を有するガイドプレート上に落下させた後、ペレット状に切断する樹脂ペレットの製造方法において、前記ガイドプレートが、ストランド状物が落下する第１のガイドプレートと、ストランド状物を冷却固化する第２のガイドプレートとを有し、前記第１のガイドプレートの案内溝の最大深さおよび幅が下記式（１）および（２）を充足することを特徴とする。
０．４≦ａ／ｘ≦０．８・・・（１）
０．６≦ｂ／ｘ≦１．２・・・（２）
（但し、式中、ａは案内溝の最大深さ（ｍｍ）、ｂは案内溝の幅（ｍｍ）、ｘはストランド状物のガイドプレート落下時の直径（ｍｍ）を示す。）
【手続補正７】
【補正対象書類名】明細書
【補正対象項目名】００２６
【補正方法】変更
【補正の内容】
【００２６】
【発明の効果】
以上詳細に説明したように、本発明によれば、複雑な機構を要することなく、
ストランド状物同士の融着を防ぎ、所望の形状のペレットを安定して製造するこ
とが可能な樹脂ペレットの製造方法を提供することができる。
【手続補正書】
【提出日】平成18年2月22日(2006.2.22)
【手続補正１】
【補正対象書類名】明細書
【補正対象項目名】発明の名称
【補正方法】変更
【補正の内容】
【発明の名称】放射線断層撮影装置
【手続補正２】
【補正対象書類名】明細書
【補正対象項目名】特許請求の範囲
【補正方法】変更
【補正の内容】
【特許請求の範囲】
【請求項１】  対向配置した放射線源と放射線検出器の間に寝台上の被検体を配置して上記放射線源と放射線検出器を周回させながらこの周回軸に対して上記寝台が移動可能となるよう構成し、上記放射線源から照射されて被検体を透過した放射線を上記放射線検出器を用いて検出し、検出した投影データから対象物の関心領域の三次元断層撮影像を作成する再構成手段を有する断層撮影装置において、上記再構成手段は、ボクセル毎に使用投影データ位相幅が１８０度以上である逆投影可能な投影データ範囲を決定し、再構成フィルターを重畳し、この投影データ範囲に対して各位相で同一または対向位相のデータの重み付けをし、このフィルタ処理投影データを放射線ビームの照射軌跡に沿って前記決定した逆投影可能なデータ範囲にわたり三次元逆投影すると共に、上記データ範囲の決定にあたっては、使用する投影データ範囲の両端におけるコーン角の絶対値の差が小さくなるよう投影データ範囲を決定することを特徴とする放射線断層撮影装置。
【請求項２】  請求項１に記載のものにおいて、さらに使用する投影データ位相幅がボクセル毎に同位相幅となるように決定することを特徴とする放射線断層撮影装置。
【請求項３】  請求項１記載のものにおいて、上記逆投影可能な投影データ範囲は２７０度、または３６０度のいずれかであることを特徴とする放射線断層撮影装置。
【請求項４】  対向配置した放射線源および二次元的に検出素子を配列して構成した放射線検出器の間に寝台上の被検体を配置して上記放射線源と放射線検出器を周回させながら、この周回軸に対して上記寝台が移動可能となるよう構成し、上記放射線源から照射されて被検体を透過した放射線を上記放射線検出器で検出し、検出した投影データから被検体の上記関心領域における三次元断層撮影像を作成する再構成手段を有する断層撮影装置において、上記再構成手段は、再構成ボクセル毎に逆投影可能な投影データ位相範囲を決定し、上記放射線源から発せられる周回軸方向から見てパラレル形状のパラレルビームにより得られる前記関心領域に対応したパラレルビーム投影データのチャンネル方向位置に対する放射線源位置を示す曲線に対する近似直線を算出し、投影データの各列に対して上記放射線源からの放射線の傾斜角度に依存する係数を乗算して補正し、上記放射線源から発せられる周回軸方向から見てファン形状のファンビームにより得られたファンビーム投影データからパラレルビーム投影データを得るユ次元並び替え処理を行ない、上記パラレル投影データに対して再構成フィルタを重畳してフィルタ処理パラレル投影データを生成し、上記決定された逆投影可能な投影データ範囲を基に上記フィルタ処理を経たパラレルビーム投影データを、上記近似直線を用いて近似照射軌跡に沿って上記関心領域に対応する逆投影領域に三次元逆投影すると共に、さらに上記再構成手段は、この決定された投影データの位相幅に応じて各位相でデータ冗長性を補正するために位相方向の重み関数から重み係数を生成する冗長性補正用重み付けをし、上記パラレルビーム三次元逆投影手段は、上記決定された投影データ位相範囲で投影データに対して上記冗長性補正用重み付け手段により得た重み係数を加重し逆投影領域に前記近似軌跡に沿って三次元逆投影することを特徴とする放射線断層撮影装置。
【請求項５】  請求項４に記載のものにおいて、上記投影データ位相範囲の決定において、ビュー方向にｆπ［ｒａｄ］の位相範囲を決定し、冗長性補正用重み付け手段による重み関数により冗長性補正を行うことを特徴とする放射線断層撮影装置。
【請求項６】  請求項４記載のものにおいて、上記使用データ位相範囲は、再構成ボクセル毎の逆投影可能な投影データ範囲をボクセル毎に逆投影されるビームの最大コーン角が最も狭くなるように決定されることを特徴とする放射線断層撮影装置。
【請求項７】  請求項４記載のものにおいて、上記使用データ位相範囲算出にあたり、再構成ボクセル毎の逆投影可能な投影データ範囲をボクセル毎に逆投影されるビームの位相方向範囲を可能な限り極力狭くなるようにして決定したことを特徴とする放射線断層撮影装置。
【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
複数のエンタテインメント装置が通信路を介して接続されて成るエンタテインメントシステムにおいて、
上記複数のエンタテインメント装置は、同期信号伝送路、及び状態変化情報伝送路を介して接続され、
少なくとも１台の上記エンタテインメント装置は、自機の状態変化情報と、上記状態変化情報伝送路を介して他機から送られてくる状態変化情報とに基づき、上記同期信号伝送路を介して前記他機から送られてくる同期信号であって前記他機の画像信号中の同期信号成分である同期信号に同期して、画像信号を生成することを特徴とするエンタテインメントシステム。
【請求項２】
請求項１記載のエンタテインメントシステムであって、
上記エンタテインメント装置は、
画像データが書き込まれるメモリと、
上記同期信号伝送路を介して送られてくる外部からの同期信号が入力される同期信号入力端子を有し、上記メモリに書き込まれている画像データを上記外部からの同期信号に同期して画像信号として出力する機能を有する表示制御手段と
を有することを特徴とするエンタテインメントシステム。
【請求項３】
請求項２記載のエンタテインメントシステムであって、
上記メモリには、自機の状態変化情報に基づいて生成された画像データと、上記状態変化情報伝送路を介して他機から送られてくる状態変化情報に基づいて生成された画像データとが書き込まれることを特徴とするエンタテインメントシステム。
【請求項４】
請求項２記載のエンタテインメントシステムであって、
上記表示制御手段は、上記同期情報を用いて画像信号のフレーム番号を互いに一致させることによりフレーム同期を行うことを特徴とするエンタテインメントシステム。
【請求項５】
請求項２記載のエンタテインメントシステムであって、
上記表示制御手段は、外部からの画像信号が入力される画像入力端子をさらに有し、上記入力される画像信号を上記メモリに書き込む機能を有することを特徴とするエンタテインメントシステム。
【請求項６】
画像信号をディスプレイ装置に表示する画像表示装置において、
画像データが書き込まれるメモリと、
他の装置から出力される画像信号中の同期信号成分である同期信号が入力される同期信号入力端子を有し、上記メモリに書き込まれている画像データによる画像信号を上記他の装置からの同期信号に同期して出力する機能を有する表示制御手段と、
上記画像信号を外部に出力するための画像出力端子とを備えることを特徴とする画像表示装置。
【請求項７】
請求項６記載の画像表示装置であって、
上記表示制御手段は、上記同期信号を用いて画像信号のフレーム番号を互いに一致させることによりフレーム同期をとることを特徴とする画像表示装置。
【請求項８】
請求項６記載の画像表示装置であって、
ゲーム用アプリケーションプログラムに基づいて供給される状態変化情報が入力される状態変化情報入力端子をさらに有することを特徴とする画像表示装置。
【請求項９】
請求項６記載の画像表示装置であって、
上記表示制御手段は、外部からの画像信号が入力される画像入力端子をさらに有し、上記入力される画像データを上記メモリに書き込む機能を有することを特徴とする画像表示装置。
【請求項１０】
請求項６記載の画像表示装置であって、
ゲーム専用放送を受信する放送受信手段をさらに備え、
上記表示制御手段は、外部からの画像信号が入力される画像入力端子をさらに有し、
上記放送受信手段により受信されたゲーム専用放送信号中の同期信号を上記同期信号入力端子に入力して同期をとると共に、上記放送受信手段により受信されたゲーム専用放送の画像信号を上記画像入力端子に供給することを特徴とする画像表示装置。
【請求項１１】
画像信号をディスプレイ装置に表示する画像表示装置を通信回線で相互に接続して構成される情報処理システムであって、
画像データが書き込まれるメモリと、
上記メモリに書き込まれている画像データによる画像信号を出力する表示制御手段と、
上記画像データの同期信号を外部に出力する同期信号出力端子とを備える第１の画像表示装置と、
画像データが書き込まれるメモリと、
他の画像表示装置から上記通信回線を介して画像データの同期信号が入力される同期信号入力端子を有し上記メモリに書き込まれている画像データによる画像信号を上記入力される同期信号に同期して出力する機能を有する表示制御手段とを備える１以上の第２の画像表示装置と
を含んで構成され、
上記第１の画像表示装置および第２の画像表示装置は、衛星回線により伝送されるテレビジョン放送信号を受信して上記画像入力端子に入力する放送受信手段をさらに備え、
上記第１の画像表示装置の表示制御手段は、上記メモリに書き込まれている画像データによる画像信号を、上記テレビジョン放送信号の同期信号に同期して出力し、
上記第２の画像表示装置の表示制御手段は、上記メモリに書き込まれている画像データによる画像信号を、上記他の画像表示装置からの画像データの同期信号に代えて、上記テレビジョン放送信号の同期信号に同期して出力することを特徴とする情報処理システム。
【請求項１２】
画像信号をディスプレイ装置に表示する画像表示装置が通信回線で相互に接続された情報処理装置において、各ディスプレイ装置に表示される画像信号を外部からの同期信号に同期して出力する同期制御方法であって、
画像データをメモリに書き込むメモリ書き込み工程と、
上記メモリに書き込まれている画像データによる画像信号を、他装置から送られてくる同期信号であって前記他装置の画像信号中の同期信号成分である同期信号に同期させる同期制御工程と、
上記画像信号を出力する画像出力工程とを有することを特徴とする同期制御方法。
【請求項１３】
請求項１２記載の同期制御方法であって、
上記同期制御工程では、上記同期情報を用いて画像信号のフレーム番号を互いに一致させることによりフレーム同期をとることを特徴とする同期制御方法。
【手続補正書】
【提出日】平成17年11月21日(2005.11.21)
【手続補正１】
【補正対象書類名】明細書
【補正対象項目名】特許請求の範囲
【補正方法】変更
【補正の内容】
【特許請求の範囲】
【請求項１】  接合予定部の裏面に凸部が設けられた接合ワークの前記接合予定部を摩擦撹拌接合したのち、前記接合ワークの摩擦撹拌接合部を圧延することによって、前記凸部を押し潰して前記接合ワークの表裏両面を平坦状に形成することを特徴とする接合継手の製造方法。
【請求項２】  回転可能な径大のショルダー部と該ショルダー部に突設された径小のプローブとを有する摩擦撹拌接合工具を用い、前記接合工具のプローブを前記接合ワークの接合予定部中に埋入するとともに、前記ショルダー部を前記接合ワークの接合予定部の表面に当接させ、且つ前記ショルダー部の回転軸線を前記接合ワークのプローブ埋入位置における表面の法線に対して接合方向後方側に所定の傾斜角で傾斜させた状態で、前記接合工具を前記接合予定部に沿って前記接合ワークに対して相対的に移動させることにより、前記接合ワークの接合予定部の摩擦撹拌接合が行われ、
前記接合工具のショルダー部の直径をＤとし、前記傾斜角をθとし、前記凸部の高さをＨとするとき、Ｈが、
０．３Ｄｓｉｎθ≦Ｈ≦０．５Ｄｓｉｎθ
の関係式を満足している請求項１記載の接合継手の製造方法。
【請求項３】  前記接合ワークの接合予定部を摩擦撹拌接合することにより形成される、摩擦撹拌接合部の表面の凹部の深さをＰとし、前記凸部の高さをＨとするとき、Ｈが、
０．８Ｐ≦Ｈ≦１．５Ｐ
の関係式を満足している請求項１又は２記載の接合継手の製造方法。
【請求項４】  回転可能な径大のショルダー部と該ショルダー部に突設された径小のプローブとを有する摩擦撹拌接合工具を用いて、前記接合ワークの接合予定部の摩擦撹拌接合が行われ、
前記接合工具のショルダー部の直径をＤとし、前記凸部の幅をＷとするとき、Ｗが、
０．８Ｄ≦Ｗ≦１．５Ｄ
の関係式を満足している請求項１〜３のいずれか１項記載の接合継手の製造方法。
【請求項５】  前記摩擦撹拌接合部を圧延ローラによって圧延する請求項１〜４のいずれか１項記載の接合継手の製造方法。
【請求項６】  前記接合ワークは板状であり且つその肉厚が２〜６ｍｍの範囲に設定されている請求項１〜５のいずれか１項記載の接合継手の製造方法。
【請求項７】  前記接合ワークは、互いに異種の材料からなる２個の接合部材が互いに突合せ状に配置されてなるものであって、前記接合ワークの接合予定部は前記両接合部材の突合せ部である請求項１〜６のいずれか１項記載の接合継手の製造方法。
【請求項８】  請求項１〜７のいずれか１項記載の接合継手の製造方法により製造されていることを特徴とする接合継手。
【請求項９】  床材に用いられる請求項８記載の接合継手。
【請求項１０】  接合ワークの接合予定部を摩擦撹拌接合するための摩擦撹拌接合工具と、
前記接合工具により前記接合予定部が摩擦撹拌接合された前記接合ワークの摩擦撹拌接合部を圧延するための圧延装置と、
を備えていることを特徴とする接合継手の製造装置。
【請求項１１】  前記接合ワークの接合予定部の裏面には凸部が設けられており、
前記圧延装置は、前記接合工具により前記接合予定部が摩擦撹拌接合された前記接合ワークの摩擦撹拌接合部を圧延することによって、前記凸部を押し潰して前記接合ワークの表裏両面を平坦状に形成するものとなされている請求項１０記載の接合継手の製造装置。
【請求項１２】  前記接合ワークを前記圧延装置に送るための送り装置を備えている請求項１０又は１１記載の接合継手の製造装置。
【請求項１３】  前記接合ワークを前記圧延装置に送るための送り装置として回転駆動可能な送りローラを備えており、
前記送りローラの周面の一部に、前記凸部が嵌合される凹部が全周に亘って設けられている請求項１１記載の接合継手の製造装置。
【請求項１４】  前記圧延装置は、互いに対向する少なくとも一対の圧延ローラを有している請求項１０〜１３のいずれか１項記載の接合継手の製造装置。
【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
先端部分に雄ねじを有し、雄ねじ部分後方の管部材の壁面が後方に傾斜している管Ａと、先端部分に雌ねじを有し、雌ねじ部分の先端の管部材の壁面が前方に傾斜している管Ｂの、１組の管。
【請求項２】
先端部分に雄ねじを有し、雄ねじ部分後方の管部材の壁面が前方に傾斜している管Ａと、先端部分に雌ねじを有し、雌ねじ部分の先端の管部材の壁面が後方に傾斜している管Ｂの、１組の管。
【請求項３】
傾斜角度が１０から４５度である、請求項１または２記載の１組の管。
【請求項４】
コアドリル用シャンクである、請求項１から３のいずれか１項記載の１組の管。
【請求項５】
請求項１から３のいずれか１項記載の１組の管を使用する、コアドリル用シャンクの偏心を防止する方法。
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
放射線が入射される半導体素子、前記半導体素子に設けられる第１の電極及び第２の電極を有し、前記第１電極が前記半導体素子の一端より突出し、前記第１電極が放射線検出信号を出力する信号出力電極であり、前記第２電極が電圧印加電極である複数の放射線検出素子と、
前記複数の放射線検出素子を着脱可能に保持し、前記第１電極と接触する複数の第１電気接続部及び前記第２電極と接触する複数の第２電気接続部を有する素子保持手段と、
前記複数の放射線検出素子のそれぞれの前記第１電極から出力された放射線検出信号を処理する集積回路と、
前記集積回路が設置された集積回路保持手段とを備え、
前記素子保持手段が前記複数の第１電気接続部に別々に接続された複数の第１コネクタ部、及び前記複数の第２電気接続部にそれぞれ接続された第２コネクタを有し、
前記集積回路保持手段が前記集積回路に接続されて前記複数の第１コネクタ部に別々に着脱可能に取り付けられる複数の第３コネクタ部、及び前記第２コネクタに着脱可能に取り付けられて電圧を印加する第４コネクタ部を有することを特徴とする放射線検出器。
【請求項２】
第１電極と、前記第１電極の周囲を取り囲んで前記第１電極と接触し、放射線が入射される半導体素子と、前記半導体素子の側面に設けられた第２電極とを備え、前記第１電極の一部が、前記半導体素子の前記第２電極が設けられていない端面から突出し、前記第１電極が放射線検出信号を出力する信号出力電極であり、前記第２電極が電圧印加電極である複数の放射線検出素子と、
前記複数の放射線検出素子を着脱可能に保持し、前記第１電極と接触する複数の第１電気接続部及び前記第２電極と接触する複数の第２電気接続部を有する素子保持部材と、
前記複数の放射線検出素子のそれぞれの前記第１電極から出力された放射線検出信号を処理する集積回路と、
前記集積回路が設置された集積回路保持手段とを備え、
前記素子保持部材が前記複数の第１電気接続部に別々に接続された複数の第１コネクタ部、及び前記複数の第２電気接続部にそれぞれ接続された第２コネクタ部を有し、
前記集積回路保持手段が前記集積回路に接続されて前記複数の第１コネクタ部に別々に着脱可能に取り付けられる複数の第３コネクタ部、及び前記第２コネクタ部に着脱可能に取り付けられて電圧を印加する第４コネクタ部を有することを特徴とする放射線検出器。
【請求項３】
前記第２電気接続部は、前記放射線検出素子を保持する導電部を有することを特徴とする請求項１又は請求項２に記載の放射線検出器。
【手続補正書】
【提出日】平成18年6月21日(2006.6.21)
【手続補正１】
【補正対象書類名】明細書
【補正対象項目名】特許請求の範囲
【補正方法】変更
【補正の内容】
【特許請求の範囲】
【請求項１】
複数の図柄を予め定められた配列で表示する表示装置と、
遊技者の操作に応じて変化する遊技状況を検出する遊技状況検出手段と、
所定のタイミングで更新される当り乱数カウンタと、
前記遊技状況検出手段によって所定条件を満たす遊技状況が検出された場合に前記当り乱数カウンタの値を所定の乱数エリアに格納する格納手段と、
その格納手段によって乱数エリアに格納された前記当り乱数カウンタの値が所定の当り値である場合に遊技者に有利な特別遊技状態を発生させる特別遊技発生手段と、
前記遊技状況検出手段によって前記所定条件を満たす遊技状況が検出された場合に前記図柄を前記表示装置で変動表示させる変動表示実行手段と、
前記特別遊技状態を発生させる場合に停止表示される特別遊技図柄、リーチ状態を経た後に前記特別遊技図柄とは異なる組合せで停止表示される外れリーチ図柄であって前記特別遊技図柄に対して最後に停止する図柄が直前または直後の組合せである第１外れリーチ図柄、前記外れリーチ図柄のうち前記第１外れリーチ図柄以外の組合せである第２外れリーチ図柄、及びリーチ状態を経ずに前記特別遊技図柄とは異なる組合せで停止表示される外れ図柄の中から停止図柄を選択し、その図柄で前記変動表示実行手段による変動表示を停止させる変動表示停止手段とを備えた遊技機において、
前記第１外れリーチ図柄と、前記第２外れリーチ図柄と、前記外れ図柄とを、それぞれ記憶する図柄記憶手段と、
前記変動表示停止手段によって停止表示される外れリーチ図柄のうち前記第１外れリーチ図柄が停止図柄とされる条件を変更して設定する条件設定手段とを備え、
前記変動表示停止手段は、その条件設定手段の設定に応じて前記第１外れリーチ図柄を停止図柄とし、その第１外れリーチ図柄を停止図柄とした場合には前記図柄記憶手段に記憶された第１外れリーチ図柄を読み出し、その第１外れリーチ図柄で変動表示を停止させることを特徴とする遊技機。
【請求項２】
前記条件設定手段は、前記外れリーチ図柄のうち前記第１外れリーチ図柄が停止図柄とされる確率を変更して設定し、
前記変動表示停止手段は、その条件設定手段によって設定された確率に応じて前記第１外れリーチ図柄を停止図柄とするものであることを特徴とする請求項１に記載の遊技機。